(57)【要約】【課題】ハウジング内にモールド成形時に樹脂が収縮しても隙間を低減する構造を用いて、防水性を向上する防水プラグ及び防水ソケットを提供する。【解決手段】本発明に係る防水プラグ１０は、筒状の第三のハウジング４に収納されたプラグピン７、およびプラグピン７と電気的に接続された複合ケーブル９の芯線９ａを、第三のハウジング４内にモールド成形された樹脂充填部５によって埋設され、第三のハウジング４の内壁面４ａに沿って形成された筒状の仕切部８ａと、第三のハウジング４の内壁面４ａから径方向に突設され、仕切部８ａに連結して仕切部８ａを支持する支持部８ｂとで構成され、第三のハウジング４と一体に形成された突出部８を備えたことを特徴とする。【選択図】    図１
2020205210.tif 000002
【特許請求の範囲】
【請求項１】
筒状のハウジング内に収納されたプラグピン、および、前記プラグピンと電気的に接続された複合ケーブルの芯線を、前記ハウジング内にモールド成形された樹脂充填部によって埋設した防水プラグにおいて、
前記ハウジングの内壁面に沿って形成された筒状の仕切部と、前記ハウジングの内壁面から径方向に突設され、前記仕切部に連結して前記仕切部を支持する支持部とで構成され、前記ハウジングと一体に形成された突出部を備える防水プラグ。
【請求項２】
前記突出部は、前記ハウジングの長さ方向の断面において、前記仕切部および前記支持部が連結してL型断面形状を呈することを特徴とする請求項１に記載の防水プラグ。
【請求項３】
前記突出部は、前記ハウジングの長さ方向の断面において、前記仕切部および前記支持部が連結して円弧型断面形状を呈することを特徴とする請求項１に記載の防水プラグ。
【請求項４】
前記ハウジングは、ソケットとの嵌合をガイドするガイド筒部、および、前記プラグピンと前記複合ケーブルの芯線とを含む導体部を収納する収納部を含め、一体に形成されたことを特徴とする請求項１から３のいずれか１項に記載の防水プラグ。
【請求項５】
筒状のハウジングに収納されたコネクタ端子、および、前記コネクタ端子と電気的に接続された複合ケーブルの芯線を、前記ハウジング内にモールド成形された樹脂充填部によって埋設した防水ソケットにおいて、
前記ハウジングの内壁面に沿って形成された筒状の仕切部と、前記ハウジングの内壁面から径方向に突設され、前記仕切部に連結して前記仕切部を支持する支持部とで構成され、前記ハウジングと一体に形成された突出部を備える防水ソケット。
【請求項６】
前記突出部は、前記ハウジングの長さ方向の断面において、前記仕切部および前記支持部が連結してL型断面形状を呈することを特徴とする請求項５に記載の防水ソケット。
【請求項７】
前記突出部は、前記ハウジングの長さ方向の断面において、前記仕切部および前記支持部が連結して円弧型断面形状を呈することを特徴とする請求項５に記載の防水ソケット。
【請求項８】
前記ハウジングは、プラグとの嵌合をガイドするガイド筒部、および、前記コネクタ端子と前記複合ケーブルの芯線とを含む導体部を収納する収納部を含め、一体に形成されたことを特徴とする請求項５から７のいずれか１項に記載の防水ソケット。
【発明の詳細な説明】
【技術分野】
【０００１】
本発明は、通信機器に使用される防水構造を有する防水プラグおよび防水ソケットに関する。
【背景技術】
【０００２】
従来の防水プラグ及び防水ソケットは、例えば特許文献１に提示されているように、複合ケーブルを収納するハウジング内に樹脂モールドにより一体成形して防水を施した構成が使用される。しかしながら、ハウジング内に樹脂モールド成形時、樹脂が収縮して樹脂充填部とハウジングとの間に隙間が発生し、防水性が不安定という課題があった。
【先行技術文献】
【特許文献】
【０００３】
【特許文献１】特開平１０−６４６１７号公報
【発明の概要】
【発明が解決しようとする課題】
【０００４】
本発明は、上記のような課題を解決するためになされたものであり、防水プラグ及び防水ソケットのハウジング内にモールド成形時に樹脂が収縮しても密着性を高める構造を用いて、防水性を向上する防水プラグ及び防水ソケットを提供することを目的としている。
【課題を解決するための手段】
【０００５】
本発明に係る防水プラグは、筒状のハウジングに収納されたプラグピン、およびプラグピンと電気的に接続された複合ケーブルの芯線を、ハウジング内にモールド成形された樹脂充填部によって埋設され、ハウジングの内壁面に沿って形成された筒状の仕切部と、ハウジングの内壁面から径方向に突設され、仕切部に連結して仕切部を支持する支持部とで構成され、ハウジングと一体に形成された突出部を備える。
本発明に係る防水ソケットは、筒状のハウジングに収納されたコネクタ端子、およびコネクタ端子と電気的に接続された複合ケーブルの芯線を、ハウジング内にモールド成形された樹脂充填部によって埋設され、ハウジングの内壁面に沿って形成された筒状の仕切部と、ハウジングの内壁面から径方向に突設され、仕切部に連結して仕切部を支持する支持部とで構成され、ハウジングと一体に形成された突出部を備える。
【発明の効果】
【０００６】
本発明に係る防水プラグおよび防水ソケットによれば、ケーブルの芯線およびケーブルの芯線と接続する導体部分を収納するハウジングの内壁に突出部を設けることにより、ハウジング内に防水用樹脂がモールド成形する際に、樹脂が収縮しても、突出部との密着により、防水性を向上することができる。
【図面の簡単な説明】
【０００７】
【図１】本発明の実施の形態１に係る防水プラグの断面図である。
【図２】本発明の実施の形態１に係る防水プラグの変形例の支持部の断面図である。
【図３】本発明の実施の形態１に係る防水プラグの変形例の断面図である。
【図４】本発明の実施の形態１に係る防水ソケットの断面図である。
【図５】本発明の実施の形態２に係る防水プラグの断面図である。
【図６】本発明の実施の形態２に係る防水ソケットの断面図である。
【図７】本発明の実施の形態３に係る防水プラグの断面図である。
【図８】本発明の実施の形態３に係る防水ソケットの断面図である。
【発明を実施するための形態】
【０００８】
以下、本発明に係る実施形態について図面を参照して説明する。なお、以下の各実施形態において、同様の構成要素については同一の符号を付している。
【０００９】
実施の形態１．
図１は本発明の実施の形態１に係る防水プラグ１０の断面図である。図１（ａ）は防水プラグのハウジングの長さ方向に沿った断面図である。図１（ｂ）はハウジング内に設けられた突出部の仕切部に位置するＡ−Ａ断面を示す。図１（ｃ）はハウジングの長さ方向の部分拡大断面図である。図１（ｄ）は突出部の支持部に位置するＢ−Ｂ断面を示す。
図２は本発明の実施の形態１に係る防水プラグにおける突出部の変形例であり、変形例の支持部に位置するB−B断面を示す。
図３は本発明の実施の形態１に係る防水プラグにおける突出部の変形例の断面図である。図３（ａ）は防水プラグのハウジングの長さ方向に沿った断面図である。図３（ｂ）はハウジングの長さ方向の部分拡大断面図である。
図４は本発明の実施の形態１に係る防水ソケットの断面図である。図４（ａ）は防水ソケットのハウジングの長さ方向に沿った断面図である。図４（ｂ）はハウジング内に設けられた突出部の仕切部に位置するＡ−Ａ断面を示す。図４（ｃ）はハウジングの長さ方向の部分拡大断面図である。
以下、図面を参照して、実施の形態１に係る防水プラグ１０および防水ソケット１０１の順に説明する。
【００１０】
図１（ａ）に示すように、防水プラグ１０は、ソケット（図示せず）と嵌合する円筒形状に形成した第一のハウジング１、第一のハウジング１内に収容された第二のハウジング２、および、第一のハウジング１と当接して、第一のハウジング１との間にＯリング３を介してねじ等で固定されている第三のハウジング４を有する。
第一のハウジング１は、例えば亜鉛合金、ステンレスなどの材料を用い、ソケットとの接続を得るようにガイドするガイド筒部１ａと、第二のハウジング２を収容する第二のハウジング２の外径と等しい内径を有する円筒状の第一収納部１ｂとに構成されている。
第二のハウジング２は、例えばＰＰＳ樹脂で構成され、第一のハウジング１の第一収納部１ｂに嵌合できる大きさの円柱状に形成されており、複数のプラグピン７を挿入できる挿通孔２ａが設けられている。挿通孔２ａは第二のハウジング２を貫通している。
【００１１】
プラグピン７は、例えば銅合金材料で構成され、必要に応じて部分的に防水塗布剤で塗布されても良い。各プラグピン７は、第二のハウジング２の図示右側から、第二のハウジング２の挿通孔２ａからプラグピン７の先端部７ａを突出するように圧入される。プラグピン７の先端部７ａは第一のハウジング１のガイド筒部１ａに位置し、基端部７ｂは第二のハウジング２の挿通孔２ａにそれぞれ収容されるように位置する。第一のハウジング１のガイド筒部１ａはプラグピン７の先端部７ａを外部から保護し、且つソケットとの嵌合の際にガイドする機能を備えた構造となっている。先端部７ａと反対側の挿通孔２ａから露出した基端部７ｂの端部７ｂ１は、複合ケーブル９の芯線９ａとそれぞれ電気的に接続された構造となっている。プラグピン７と複合ケーブル９の芯線９ａとの数およびサイズはそれぞれ接続できるように対応している。
第三のハウジング４は、例えば亜鉛合金、ステンレスなどで構成され、プラグピン７の基端部７ｂ、複合ケーブル９の芯線９ａ、および複合ケーブル９の根元部９ｂを含む導体部分を収容するハウジングである。複合ケーブル９の根元部９ｂはクランプなどの締め具９ｃで締められている。これにより、複合ケーブル９の抜け強度を補強する。
【００１２】
樹脂充填部５は、プラグピン７の基端部７ｂと芯線９ａと接続された状態、および、複合ケーブル９の締め具９ｃで補強された根元部９ｂが配置された状態で、第三のハウジング４の内部に樹脂を充填することによりモールド成形されたものである。すなわち、第三のハウジング４内に収納されたプラグピン７、およびプラグピン７と電気的に接続された複合ケーブル９をモールド成形された樹脂によって埋設され、一体になることにより防水性を得るようにしている。
ゴムキャップ６は、第三のハウジング４と第三のハウジング４から延伸する複合ケーブル９の根元部９ｂを含めて被覆する構造となっており、部品保護の効果および防水措置の一つでもある。ゴムキャップ６との密着性を向上するため、第三のハウジング４の外壁面４ｂに凹凸を設けても良い。
【００１３】
さらに、図１（ａ）に示すように、第三のハウジング４の内部に、Ｌ型断面形状を呈する突出部８が形成されている。突出部８は、仕切部８ａと仕切部８ａを支持する支持部８ｂとを有する。
図１（ｂ）に示すように、仕切部８ａは、第三のハウジング４の内壁面４ａに沿って筒状に形成されている。仕切部８ａは、第三のハウジング４の径方向の断面においてリング状に呈しており、複合ケーブル９の芯線９ａを囲むように形成されている。図１（ｂ）、（ｃ）に示すように、仕切部８ａには、第三のハウジング４の内壁面４ａに対向する仕切部外壁面８ａ１、および複合ケーブル９の芯線９ａに面する仕切部内壁面８ａ２を有する。仕切部内壁面８ａ２と仕切部外壁面８ａ１は、第三のハウジング４の径方向において対向している。
支持部８ｂは、図１（ｃ）に示すように、図示左右方向において仕切部外壁面８ａ１に連結する支持部面８ｂ１、および、仕切部内壁面８ａ２に連結する支持部面８ｂ２を有する。支持部面８ｂ１と支持部面８ｂ２は、第三のハウジング４の長さ方向において対向している。また、図１（ｄ）のB―B断面に示すように、支持部８ｂは、第三のハウジング４の内壁面４ａから径方向に突設され、仕切部８ａに連結して仕切部８ａを支持するように第三のハウジング４の径方向に沿って連続して環状に形成されている。
【００１４】
筒状の第三のハウジング４の内部に、樹脂充填部５がモールド成形された際、樹脂は径方向および長さ方向に収縮する特性があり、特に径方向の収縮量がより大きい。このため、第三のハウジング４の内壁面４ａと樹脂充填部５との間に隙間ができ、浸水が発生する。第三のハウジング４の内部にハウジングと同一部材で一体型で成形されたＬ型断面形状の突出部８により、モールド成形の際に樹脂が径方向に収縮しても、仕切部８ａの仕切部外壁面８ａ１に密着することにより、防水プラグ１０の防水性を向上できる。また、第三のハウジング４の径方向に突出する支持部８ｂにより、樹脂の長さ方向の収縮についても、支持部８ｂの支持部面８ｂ１、８ｂ２に密着することにより、防水プラグ１０の防水性を向上できる。
【００１５】
突出部８は第三のハウジング４と一体型で成形されており、図１において、第三のハウジング４の長さ方向の断面において、仕切部８ａおよび支持部８ｂが連結してＬ型断面形状を呈する。仕切部８ａは、第三のハウジング４の内壁面４ａに沿って連続する外壁面を有するため、第三のハウジング４内の径方向に収縮する樹脂との間に密着して、防水性を向上する。第三のハウジング４の内部において、仕切部８ａの複合ケーブル９に面する内側、および、仕切部外壁面８ａ１と第三のハウジング４の内壁面４ａとの間が連通した状態であり、樹脂が第三のハウジング４に流入して一体に充填される。つまり、仕切部８ａは第三のハウジング４の内部を一部のみ仕切り、第三のハウジング４の内部における樹脂が連通している。また、図１では、突出部８は第三のハウジング４の長さ方向において真ん中に位置するが、プラグピン７と複合ケーブル９の形状および配置位置に合わせて適宜に前後に変更しても良い。すなわち、防水プラグ１０は、樹脂が充填されたハウジング内において、突出部８の設置位置、仕切部８ａの径および仕切部８ａの長さなどについて、図示の限りではなく、プラグピン７と複合ケーブル９などの形状と配置位置に合わせて適宜に変更できる。
【００１６】
また、図２に実施の形態１の防水プラグの変形例を示す。図２（ａ）は変形例における突出部の支持部に位置するＢ−Ｂ断面を示す。図２（ａ）における断面Ｃ−Ｃのハウジングの長さ方向の部分拡大断面図を図２（ｂ）に示す。
図１（ｄ）に示すハウジングの径方向に沿って連続して仕切部８ａを支持する環状となる支持部８ｂに対して、図２に示す変形例では、図２（ａ）に示すように、支持部８ｃはハウジングの径方向に沿って仕切部８ａを断続的に支持する部分環状の形状となる。この変形例の仕切部８ａにおける断面Ａ−Ａは、図１（ｂ）に示す断面と同様であり、仕切部８ａはハウジングの内壁面に沿った連続的な筒状である。図２（ｂ）に示すように、仕切部外壁面８ａ１は、支持部８ｃの切れている部分に延びる仕切部外壁面８ａ１１も含む。
図２に示すような実施の形態１の変形例の場合においても、モールド成形の際に樹脂が突出部８に密着する効果がある。仕切部外壁面８ａ１の面積がより大きくなり、防水効果を高めることができる。
さらに、図３に示す実施の形態１に係るもう一つの変形例である防水プラグ１００において、突出部８０の支持部８０ｂが第三のハウジング４の内壁面４ａと仕切部８０ａに垂直せず、一定の角度で傾斜して仕切部８０ａと連結する状態である。モールド成形の際に樹脂が収縮しても、仕切部外壁面８０ａ１に密着するほかに、第三のハウジング４の内壁面４ａに垂直する支持部８ｂの場合に比べて、一定の角度で傾斜する支持部８０ｂの支持部面８０ｂ１にもより密着するため、防水効果を高めることができる。
【００１７】
次に、図４を参照して本発明の実施の形態１に係る防水ソケットを説明する。
図４（ａ）に示すように、防水ソケット１０１は、プラグ（図示せず）と嵌合する円筒形状に形成した第一のハウジング１１、第一のハウジング１１内に収容された第二のハウジング１２、および、第一のハウジング１１と当接して、第一のハウジング１１との間にＯリング１３を介してねじ等で固定されている第三のハウジング１４を有する。
第一のハウジング１１は、例えば亜鉛合金、ステンレスなどの材料を用い、プラグとの接続を得るようにガイドするガイド筒部１１ａと、第二のハウジング１２を収容する第二のハウジング１２の外径と等しい内径を有する円筒状の第一収納部１１ｂとに構成されている。
第二のハウジング１２は、例えばＰＰＳ樹脂で構成され、第一のハウジング１１の第一収納部１１ｂに嵌合できる大きさの円柱状に形成されており、複数のコネクタ端子１７が配置された挿通孔１２ａが設けられている。挿通孔１２ａは第二のハウジング１２を貫通している。
【００１８】
コネクタ端子１７は、例えば銅合金材料で構成され、必要に応じて部分的に防水塗布剤で塗布されても良い。各コネクタ端子１７のピン挿入部１７ａが第二のハウジング１２の挿通孔１２ａ内に配置され、挿入されるプラグのプラグピンと嵌合して電気的に接続される。ピン挿入部１７ａと反対側の挿通孔１２ａから露出したコネクタ端部１７ｂは、複合ケーブル１９の芯線１９ａとそれぞれ電気的に接続された構造となっている。コネクタ端子１７と複合ケーブル１９の芯線１９ａとの数およびサイズはそれぞれ接続できるように対応している。
第三のハウジング１４は、例えば亜鉛合金、ステンレスなどで構成され、コネクタ端子１７のコネクタ端部１７ｂ、複合ケーブル１９の芯線１９ａ、および複合ケーブル１９の根元部１９ｂを含む導体部分を収容するハウジングである。複合ケーブル１９の根元部１９ｂはクランプなどの締め具１９ｃで締められている。これにより、複合ケーブル１９の抜け強度を補強する。
【００１９】
樹脂充填部１５は、コネクタ端子１７のコネクタ端部１７ｂと芯線１９ａと接続されている状態、および、複合ケーブル１９の締め具１９ｃで補強された根元部１９ｂが配置された状態で、第三のハウジング１４の内部に樹脂を充填することによりモールド成形されたものである。すなわち、第三のハウジング１４内のコネクタ端子１７、およびコネクタ端子１７と電気的に接続された複合ケーブル１９をモールド成形された樹脂によって埋設され、一体になることにより防水性を得るようにしている。
ゴムキャップ１６は、第三のハウジング１４と第三のハウジング１４から延伸する複合ケーブル１９の根元部１９ｂを含めて被覆する構造となっており、部品保護の効果および防水措置の一つでもある。ゴムキャップ１６との密着性を向上するため、第三のハウジング１４の外壁面１４ｂに凹凸を設けても良い。
【００２０】
さらに、図４（ａ）に示すように、第三のハウジング１４の内部に、Ｌ型断面形状を呈する突出部１８が形成されている。突出部１８は、仕切部１８ａと仕切部１８ａを支持する支持部１８ｂとを有する。
図４（ｂ）に示すように、仕切部１８ａは、第三のハウジング１４の内壁面１４ａに沿って筒状に形成されている。仕切部１８ａは、第三のハウジング１４の径方向の断面においてリング状に呈しており、複合ケーブル１９の芯線１９ａを囲むように形成されている。図４（ｂ）、（ｃ）に示すように、仕切部１８ａには、第三のハウジング１４の内壁面１４ａに対向する仕切部外壁面１８ａ１、および複合ケーブル１９の芯線１９ａに面する仕切部内壁面１８ａ２を有する。仕切部内壁面１８ａ２と仕切部外壁面１８ａ１は、第三のハウジング１４の径方向において対向している。
支持部１８ｂは、第三のハウジング１４の内壁面１４ａから径方向に突設され、仕切部１８ａに連結して仕切部１８ａを支持するように環状に形成されている。図４（ｃ）に示すように、支持部１８ｂは、図示左右方向において仕切部外壁面１８ａ１に連結する支持部面１８ｂ１、および、仕切部内壁面１８ａ２に連結する支持部面１８ｂ２を有する。支持部面１８ｂ１と支持部面１８ｂ２は、第三のハウジング１４の長さ方向において対向している。
【００２１】
実施の形態１に係る防水プラグ１０と同様に、防水ソケット１０１においても、第三のハウジング１４の内部にハウジングと同一部材で一体型で成形されたＬ型断面形状の突出部１８により、モールド成形の際に樹脂が径方向に収縮しても、仕切部１８ａの仕切部外壁面１８ａ１に密着することにより、防水ソケット１０１の防水性を向上できる。また、第三のハウジング１４の径方向に突出する支持部１８ｂにより、樹脂の長さ方向の収縮についても、支持部１８ｂの支持部面１８ｂ１、１８ｂ２に密着することにより、防水ソケット１０１の防水性を向上できる。
また、第三のハウジング１４の長さ方向の断面において、突出部１８はL型断面形状を呈する。実施の形態１に係る防水プラグ１０と同様に、第三のハウジング１４内において、突出部１８の設置位置、仕切部１８ａの径および長さなどについて、図示の限りではなく、コネクタ端子と複合ケーブルの形状と配置位置に合わせて適宜に変更できる。
支持部１８ｂに関しても、図２と図３に示す防水プラグの変形例と同様に、支持部１８ｂはハウジングの径方向に沿って連続して仕切部１８ａを支持する環状となるが、ハウジングの径方向に沿って断続的に仕切部１８ａを支持する部分環状の形状となっても良い。突出部１８の支持部１８ｂが第三のハウジング１４の内壁面１４ａおよび仕切部１８ａに垂直せず、一定の角度で傾斜して仕切部１８ａと連結しても良い。
【００２２】
なお、実施の形態１に係る防水プラグおよび防水ソケットは、それぞれ通信機器上に取り付けられたソケットまたはプラグと接続することができる。また、図１と図４において、防水プラグ１０と防水ソケット１０１のそれぞれのハウジングの外径がほぼ同じ大きさであるが、互いに嵌合できるように、例えば一方の第一のハウジングの外径サイズを変更しても良い。すなわち、接続されるプラグとソケットは、少なくともいずれか一方において、プラグピンまたはコネクタ端子、および複合ケーブルの芯線を収納するハウジング内にモールド成形された樹脂によって埋設されている。かつ、樹脂が充填されたハウジングの内壁面に沿って形成され、ハウジングの内壁面に対向する仕切部外壁面を有する筒状の仕切部、および、ハウジングの内壁面から径方向に突設され、仕切部に連結して仕切部を支持する支持部を有する突出部が設けられている。
【００２３】
実施の形態１に係る防水プラグおよび防水ソケットによれば、部品点数を追加せず、ケーブルの芯線およびケーブルの芯線と接続する導体部分を収納するハウジング内に突出部を設けることにより、ハウジング内に防水用樹脂がモールド成形する際に、樹脂が収縮しても、突出部との密着により、防水性を向上することができる。
【００２４】
実施の形態２．
図５は本発明の実施の形態２に係る防水プラグの断面図である。図５（ａ）は防水プラグのハウジングの長さ方向に沿った断面図である。図５（ｂ）はハウジング内に設けられた突出部の仕切部に位置するＡ−Ａ断面を示す。図５（ｃ）はハウジングの長さ方向の部分拡大断面図である。
図６は本発明の実施の形態２に係る防水ソケットの断面図である。図６（ａ）は防水ソケットのハウジングの長さ方向に沿った断面図である。図６（ｂ）はハウジング内に設けられた突出部の仕切部に位置するＡ−Ａ断面を示す。図６（ｃ）はハウジングの部分拡大断面図である。
実施の形態２では、本発明の実施の形態１と同一の構成要素には同一の符号を使用し、同一または対応する部分についての説明は省略する。以下、図面を参照して、実施の形態２に係る防水プラグ２０、および防水ソケット２０１の順に、実施の形態１と異なる点について説明する。
【００２５】
図５に示すように、実施の形態２に係る防水プラグ２０において、実施の形態１に係る防水プラグ１０におけるＬ型断面形状を呈する突出部８とは異なって、第三のハウジング２４の内部に形成された突出部２８は、第三のハウジング２４の長さ方向の断面において、円弧型断面形状を呈している。
図５（ｃ）に示すように、突出部２８は、仕切部２８ａと仕切部２８ａを支持する支持部２８ｂとを有する。仕切部２８ａは、第三のハウジング２４の内壁面２４ａに沿って、内壁面２４ａに対向する仕切部外壁面２８ａ１を有する筒状に形成されている。支持部２８ｂは、第三のハウジング２４の内壁面２４ａから径方向に突設され、仕切部２８ａに連結して仕切部２８ａを支持するように環状に形成されている。仕切部２８ａと支持部２８ｂとを有する突出部２８は、第三のハウジング２４の長さ方向の断面において円弧状に呈している。実施の形態２に係る防水プラグ２０において、突出部２８は円弧型断面形状である点以外の構成は実施の形態１に係る防水プラグ１０と同様である。
【００２６】
次に、図６を参照して本発明の実施の形態２に係る防水ソケットを説明する。
図６に示すように、実施の形態２に係る防水ソケット２０１において、実施の形態１に係る防水ソケット１０１におけるＬ型断面形状を呈する突出部１８とは異なって、第三のハウジング３４の内部に形成された突出部３８は、第三のハウジング３４の長さ方向の断面において、円弧型断面形状を呈している。
図６（ｃ）に示すように、突出部３８は、仕切部３８ａと仕切部３８ａを支持する支持部３８ｂとを有する。仕切部３８ａは、第三のハウジング３４の内壁面３４ａに沿って、内壁面３４ａに対向する仕切部外壁面３８ａ１を有する筒状に形成されている。支持部３８ｂは、第三のハウジング３４の内壁面３４ａから径方向に突設され、仕切部３８ａに連結して仕切部３８ａを支持するように環状に形成されている。仕切部３８ａと支持部３８ｂとを有する突出部３８は、第三のハウジング３４の長さ方向の断面において円弧状に呈している。実施の形態２に係る防水ソケット２０１において、突出部３８は円弧型断面形状である点以外の構成は実施の形態１に係る防水ソケット１０１と同様である。
【００２７】
実施の形態２に係る防水プラグおよび防水ソケットによれば、実施の形態１と同様に、ケーブルの芯線およびケーブルの芯線と接続する導体部分を収納するハウジング内に突出部を設けることにより、ハウジング内に防水用樹脂がモールド成形する際に、樹脂が収縮しても、突出部との密着により、防水性を向上することができる。また、ハウジングの内壁面から形成された突出部は円弧状断面形状となり、金型一体成形時に離形しやすいため、生産性を向上できる。
【００２８】
実施の形態３．
図７は本発明の実施の形態３に係る防水プラグの断面図である。図７（ａ）は防水プラグのハウジングの長さ方向に沿った断面図である。図７（ｂ）はハウジング内に設けられた突出部の仕切部に位置するＡ−Ａ断面を示す。図７（ｃ）はハウジングの長さ方向の部分拡大断面図である。
図８は本発明の実施の形態３に係る防水ソケットの断面図である。図８（ａ）は防水ソケットのハウジングの長さ方向に沿った断面図である。図８（ｂ）はハウジング内に設けられた突出部の仕切部に位置するＡ−Ａ断面を示す。図８（ｃ）はハウジングの長さ方向の部分拡大断面図である。
実施の形態３では、本発明の実施の形態１と同一の構成要素には同一の符号を使用し、同一または対応する部分についての説明は省略する。以下、図面を参照して、実施の形態３に係る防水プラグ３０、防水ソケット３０１の順に、実施の形態１と異なる点について説明する。
【００２９】
図７に示すように、実施の形態１に係る防水プラグ１０の第一のハウジング１と第三のハウジング４がＯリング３を介してねじ等で固定されているハウジングの構成に対して、実施の形態３に係る防水プラグ３０では、一体成形された第四のハウジング４１のハウジング構成となる。第四のハウジング４１は、実施の形態１に係る防水プラグ１０における第一のハウジング１と第三のハウジング４とを合わせた機能を有する。
第四のハウジング４１は、図７において左から右へガイド筒部４１ａ、および収納部である第一収納部４１ｂと第二収納部４１ｃで構成される。ガイド筒部４１ａは、プラグピン７の先端部７ａを外部から保護し、ソケット（図示せず）との接続を得るようにガイドする機能を備えた構造となる。第一収納部４１ｂは、プラグピン７の基端部７ｂが挿入されている第二のハウジング２を収容し、第二のハウジング２の外径と等しい内径を有する円筒状の構造となる。第二収納部４１ｃは、プラグピン７の基端部７ｂの一部、基端部７ｂの端部７ｂ１と接続された複合ケーブル９の芯線９ａ、および複合ケーブル９の根元部９ｂを収容する。すなわち、第四のハウジング４１は、ガイド筒部４１ａと、プラグピン７および複合ケーブル９の芯線９ａを含む導体部を収容する収納部とを含め、一体に形成されたハウジングである。
【００３０】
第四のハウジング４１の内部に、Ｌ型断面形状を呈する突出部４８が形成されている。図７（ｃ）に示すように、突出部４８は仕切部４８ａと仕切部４８ａを支持する支持部４８ｂとを有する。仕切部４８ａは、第四のハウジング４１の第二収納部４１ｃの内壁面４１ｃ１に沿って、内壁面４１ｃ１に対向する仕切部外壁面４８ａ１を有する筒状に形成されている。支持部４８ｂは、第二収納部４１ｃの内壁面４１ｃ１から径方向に突設され、仕切部４８ａに連結して仕切部４８ａを支持するように環状に形成されている。
樹脂充填部５は、プラグピン７の基端部７ｂと電気的に接続されている芯線９ａと接続され、および、複合ケーブル９の締め具９ｃで補強された根元部９ｂが配置された状態で、第四のハウジング４１の第二収納部４１ｃの円筒部内部に樹脂を充填することによりモールド成形されたものである。
【００３１】
第四のハウジング４１の内部にＬ型断面形状の突出部４８が設けられることにより、モールド成形の際に樹脂が径方向に収縮しても、仕切部４８ａの仕切部外壁面４８ａ１に密着することにより、防水プラグ３０の防水性を向上できる。また、第四のハウジング４１の径方向に突出する支持部４８ｂにより、樹脂の長さ方向の収縮についても、図７において支持部４８ｂの左右方向の支持部面４８ｂ１、４８ｂ２に密着することにより、防水プラグ３０の防水性を向上できる。
【００３２】
次に、図８を参照して本発明の実施の形態３に係る防水ソケットを説明する。
図８に示すように、実施の形態１に係る防水ソケット１０１の第一のハウジング１１と第三のハウジング１４がＯリング１３を介してねじ等で固定されているハウジングの構成に対して、実施の形態３に係る防水ソケット３０１では、一体成形された第四のハウジング５１のハウジング構成となる。第四のハウジング５１は、実施の形態１に係る防水ソケット１０１における第一のハウジング１１と第三のハウジング１４とを合わせた機能を有する。
第四のハウジング５１は、図８において左から右へガイド筒部５１ａ、および収納部である第一収納部５１ｂと第二収納部５１ｃで構成される。ガイド筒部５１ａは、プラグ（図示せず）との接続を得るようにガイドする機能を備えた構造となる。第一収納部５１ｂは、コネクタ端子１７のピン挿入部１７ａが配置されている第二のハウジング１２を収容し、第二のハウジング１２の外径と等しい内径を有する円筒状の構造となる。第二収納部５１ｃは、第二のハウジング１２の挿通孔１２ａから露出したコネクタ端子１７のコネクタ端部１７ｂ、コネクタ端部１７ｂに接続された複合ケーブル１９の芯線１９ａ、および複合ケーブル１９の根元部１９ｂを収容する。すなわち、第四のハウジング５１は、プラグとの嵌合をガイドするガイド筒部５１ａと、コネクタ端子１７および複合ケーブル１９の芯線１９ａを含む導体部を収容する収納部とを含め、一体に形成されたハウジングである。
【００３３】
第四のハウジング５１の内部に、Ｌ型断面形状を呈する突出部５８が形成されている。図８（ｃ）に示すように、突出部５８は仕切部５８ａと仕切部５８ａを支持する支持部５８ｂとを有する。仕切部５８ａは、第四のハウジング５１の第二収納部５１ｃの内壁面５１ｃ１に沿って、内壁面５１ｃ１に対向する仕切部外壁面５８ａ１を有する筒状に形成されている。支持部５８ｂは、第二収納部５１ｃの内壁面５１ｃ１から径方向に突設され、仕切部５８ａに連結して仕切部５８ａを支持するように環状に形成されている。
樹脂充填部１５は、コネクタ端子１７のコネクタ端部１７ｂと芯線１９ａと接続されている状態、および、複合ケーブル１９の締め具１９ｃで補強された根元部１９ｂが配置された状態で、第四のハウジング５１の第二収納部５１ｃの円筒部内部に樹脂を充填することによりモールド成形されたものである。すなわち、第四のハウジング５１内に収納されたコネクタ端子１７、およびコネクタ端子１７と電気的に接続された複合ケーブル１９をモールド成形された樹脂によって埋設され、一体になることにより防水性を得るようにしている。
【００３４】
第四のハウジング５１の内部にＬ型断面形状の突出部５８が設けられることにより、モールド成形の際に樹脂が径方向に収縮しても、仕切部５８ａの仕切部外壁面５８ａ１に密着することにより、防水ソケット３０１の防水性を向上できる。また、第四のハウジング５１の径方向に突出する支持部５８ｂにより、樹脂の長さ方向の収縮についても、図８において支持部５８ｂの左右方向の支持部面５８ｂ１、５８ｂ２に密着することにより、防水ソケット３０１の防水性を向上できる。
【００３５】
実施の形態３に係る防水プラグおよび防水ソケットによれば、実施の形態１と同様に、ケーブルの芯線およびケーブルの芯線と接続する導体部分を収納するハウジング内に突出部を設けることにより、ハウジング内に防水用樹脂がモールド成形する際に、樹脂が収縮しても、突出部との密着により、防水性を向上することができる。また、ハウジングが一体成形であるため、部品点数および組み立て工程数を削減することができる。
【００３６】
なお、本発明は、その発明の範囲内において、各実施の形態を組み合わせ、各実施の形態を適宜、変形、省略することが可能である。
【符号の説明】
【００３７】
１、１１  第一のハウジング、２、１２  第二のハウジング、３、１３  Oリング、４、１４、２４、３４  第三のハウジング、５、１５  樹脂充填部、６、１６  ゴムキャップ、７  プラグピン、８、１８、２８、３８、４８、５８  突出部、９、１９  複合ケーブル、１０、２０、３０  防水プラグ、１７  コネクタ端子、４１、５１  第四のハウジング、１０１、２０１、３０１  防水ソケット
【図１】
2020205210.tif 000003
【図２】
2020205210.tif 000004
【図３】
2020205210.tif 000005
【図４】
2020205210.tif 000006
【図５】
2020205210.tif 000007
【図６】
2020205210.tif 000008
【図７】
2020205210.tif 000009
【図８】
2020205210.tif 000010